(57)【要約】【課題】専門知識を持たない工事担当者でも迅速かつ正確にマシン室の設計を行うことができるファシリティサービス支援計算システムを提供する。【解決手段】顧客のマシン室に関する情報を格納する顧客情報ＤＢ１４と、メーカーごとの機器に関する情報を格納するメーカー仕様ＤＢ１５と、設計に用いる諸データを格納する設計引用ＤＢ１６と、書類及び図面を格納する顧客提出図書ＤＢ１７とを備え、これらのデータベースから情報を検索して計算する専門分野別の複数のシステムを備える。【選択図】図１
2009145993.tif 000002
【特許請求の範囲】
【請求項１】
サーバと、このサーバにネットワークを介して接続されるクライアントコンピュータと、を備え、
前記サーバは、
機器およびこの機器を収納するラックの諸元データを格納するメーカー仕様データベースと、
顧客のマシン室、このマシン室に設置されるラックおよびそのレイアウトおよび前記ラックに収納される前記機器に関する情報を格納する顧客情報データベースと、
前記メーカー仕様データベースから指定された前記機器およびこの機器を収納するラックの諸元データを検索し、その検索結果である諸元一覧表を生成する機器諸元データ検索システムと、
顧客により指定された複数個の機器に関する情報に基づき、これらの搭載機器を収納可能なラックサイズを算定し、前記メーカー仕様データベースに登録されたラックを選定し、選定されたラック情報および前記搭載機器諸元の集計情報を顧客のマシン室レイアウト内の設置位置情報とともに前記顧客情報データベースにラック実装情報として登録するラック実装自動計算システムと、
ラック耐震自動計算システム、免震装置設置床自動評価システム、ラック熱量自動計算システム、ＵＰＳ自動選定システム、室内冷房自動選定システムあるいは室内照明自動選定システムのうちのいずれか１個または複数個のシステムからなり、前記マシン室の設備設計の支援に用いる個別設計支援システムと、
前記個別設計支援システムおよび前記ラック実装自動計算システムのいずれかを選択して起動するメニュー手段と、を備え、
このメニュー手段により、前記個別設計支援システムが選択起動されたとき、この選択された個別設計支援システムが、前記機器諸元データ検索システムにより前記顧客情報データベースに登録されたラック実装情報を検索して利用することを特徴とするファシリティサービス支援計算システム。
【請求項２】
前記ラック耐震自動計算システムは、
前記サーバが、
設計に関する基準データを格納する設計引用データベースをさらに備え、
前記クライアントコンピュータから顧客名とマシン室名とラック名の入力を受け入れ、
前記顧客情報データベースから前記顧客名と前記マシン室名と前記ラック名を基に前記ラックの諸元および前記搭載機器および前記マシン室における前記ラックの設置に関する情報を読み出し、
さらに、前記クライアントコンピュータから設計用地の入力を受け入れ、
前記設計引用データベースから設計用地の地震力を読み込み、
地震が生じた時に前記ラックに作用する発生応力を算出し、
適切な耐震工法と部材サイズを算出する、
ことを特徴とする請求項１記載のファシリティサービス支援計算システム。
【請求項３】
前記免震装置設置床自動評価システムは、
前記サーバが、
前記顧客情報データベースから前記レイアウト図を読み込み、
前記クライアントコンピュータから免震装置を設置する前記ラック及びフロアの仕様及び設計用地震力の入力を受け入れ、
強度安全率を算出し、
前記強度安全率が所定の値を下回った場合、
前記クライアントコンピュータから補強工法に関する情報の入力の受け入れと、前記強度安全率の算出と、前記強度安全率が所定の値以下であるかの判定とを繰り返す、
ことを特徴とする請求項１記載のファシリティサービス支援計算システム。
【請求項４】
前記ラック熱量自動計算システムは、
前記サーバが、
前記クライアントコンピュータから顧客名とマシン室名とラック名の入力を受け入れ、
前記顧客情報データベースから前記顧客名と前記マシン室名と前記ラック名を基に前記ラックの諸元および前記搭載機器の発熱量を読み出し、
さらに、前記クライアントコンピュータからマシン室の空調方式の入力を受け入れ、
前記設計引用データベースから前記ラックのパネルの熱通過率を読み込み、
前記ラックの必要排熱量を算出し、
前記メーカー仕様データベースから、前記ラックから前記必要排熱量を排熱するのに十分な諸元を備えたラックファンを検索する、
ことを特徴とする請求項１記載のファシリティサービス支援計算システム。
【請求項５】
前記ＵＰＳ自動選定システムは、
前記サーバが、
前記クライアントコンピュータから顧客名とマシン室名とラック名の入力を受け入れ、
前記顧客情報データベースから前記顧客名と前記マシン室名と前記ラック名を基に前記ラックの諸元および前記搭載機器の消費電力を読み出し、
前記ラックの総消費電力を算出し、
前記メーカー仕様データベースから、前記総消費電力を供給するのに十分な諸元を備えたＵＰＳを検索する、
ことを特徴とする請求項１記載のファシリティサービス支援計算システム。
【請求項６】
前記室内照明自動選定システムは、
前記サーバが、
前記クライアントコンピュータから顧客名とマシン室名の入力を受け入れ、
前記顧客情報データベースから前記顧客名と前記マシン室名を基にマシン室に関する情報を読み出し、
前記クライアントコンピュータから照明仕様及び必要照度の入力を受け入れ、
前記設計引用データベースから、前記マシン室に前記必要照度を供給するのに十分な照明器具を検索して、検索した照明器具の必要台数を算出する、
ことを特徴とする請求項１記載のファシリティサービス支援計算システム。
【請求項７】
前記室内冷房自動選定システムは、
前記サーバが、
前記クライアントコンピュータから顧客名とマシン室名の入力を受け入れ、
前記顧客情報データベースから前記顧客名と前記マシン室名を基にマシン室に関する情報及び設置機器の発熱量を読み出し、
前記クライアントコンピュータから前記マシン室の構造に関する情報の入力を受け入れ、
前記マシン室の熱負荷を算出し、
前記マシン室に前記熱負荷に対応する冷房を供給するのに十分な冷房機器を検索する、
ことを特徴とする請求項１記載のファシリティサービス支援計算システム。
【請求項８】
機器およびこの機器を収納するラックの諸元データを格納するメーカー仕様データベースと、
顧客のマシン室、このマシン室に設置されるラックおよびそのレイアウトおよび前記ラックに収納される前記機器に関する情報を格納する顧客情報データベースと、
前記メーカー仕様データベースから指定された前記機器およびこの機器を収納するラックの諸元データを検索し、その検索結果である諸元一覧表を生成する機器諸元データ検索システムと、
顧客により指定された複数個の機器に関する情報に基づき、これらの搭載機器を収納可能なラックサイズを算定し、前記メーカー仕様データベースに登録されたラックを選定し、選定されたラック情報および前記搭載機器諸元の集計情報を顧客のマシン室レイアウト内の設置位置情報とともに前記顧客情報データベースにラック実装情報として登録するラック実装自動計算システムと、
ラック耐震自動計算システム、免震装置設置床自動評価システム、ラック熱量自動計算システム、ＵＰＳ自動選定システム、室内冷房自動選定システムあるいは  室内照明自動選定システムのうちのいずれか１個または複数個のシステムからなり、前記マシン室の設備設計の支援に用いる個別設計支援システムと、
前記個別設計支援システムおよび前記ラック実装自動計算システムのいずれかを選択して起動するメニュー手段と、を備え、
このメニュー手段により、前記個別設計支援システムが選択起動されたとき、この選択された個別設計支援システムが、前記機器諸元データ検索システムにより前記顧客情報データベースに登録されたラック実装情報を検索して利用することを特徴とするファシリティサービス支援計算システム。
【発明の詳細な説明】
【技術分野】
【０００１】
本発明は、サーバなどの電子機器を設置するラックの選定及び選定されたラックを収納するマシン室の設備設計の支援を行うシステムに関する。
【背景技術】
【０００２】
サーバ室などのマシン室の設備設計は、ＩＴ関係に関する専門知識のほか、耐震／免震工事などを行う場合には建築設備に関する専門知識が、また、空調設備を導入する場合には環境工学に関する専門知識が必要となり、複数部門の支援が不可欠となっていた。
【０００３】
しかし、これらの専門知識を有する者を複数人現場に配置することはコスト効率の点からも、顧客対応の迅速性の点からも望ましくない。
【０００４】
これらの点に関し、設備の設計や計算を省力化するシステムが開発されてきた。収納機器の耐震強度を計算し、適切なボルトを選定するシステム（例えば、特許文献１）、ラックの筺体内に配置される機器の重心から筺体内の発熱量を計算するシステム（例えば、特許文献２）、地域ごとの気候と部屋の条件から適切な冷房機種を選定するシステム（例えば、特許文献３）などが提案されている。
【特許文献１】特開平１１−３５２００５号公報
【特許文献２】特開２００４−１３４６４号公報
【特許文献３】特開２００４−２５２５５３号公報
【発明の開示】
【発明が解決しようとする課題】
【０００５】
しかし、特許文献１に記載の技術においては、ボルトの選定のみしか対応できず、設置フロアの仕様に合った適切な耐震固定方法の選定と部材サイズの算出は行えないという問題点があった。
【０００６】
また、特許文献２に記載の技術においては、筺体内の発熱量の計算までしか行わず、適切なファン風量性能と個数の選定を行わないため、工数がかかるという問題点があった。
【０００７】
さらに、特許文献３に記載の技術においては、マシン室内に設置する機器が変更された場合には計算を再度行わなければならず、工数がかかるという問題点があった。
【０００８】
加えて、いずれのシステムもマシン室の設計を一貫して行えるものではなく、データのやり取りに工数がかかるという問題点があった。
【０００９】
本発明は上記のような問題点に鑑みてなされたものであり、専門知識を持たない工事担当者でも迅速かつ正確にマシン室の設計を行うことができるファシリティサービス支援計算システムを提供することを目的とする。
【課題を解決するための手段】
【００１０】
この目的を達成するために本発明は、サーバと、このサーバにネットワークを介して接続されるクライアントコンピュータと、を備え、サーバは、機器およびこの機器を収納するラックの諸元データを格納するメーカー仕様データベースと、顧客のマシン室、このマシン室に設置されるラックおよびそのレイアウトおよびラックに収納される機器に関する情報を格納する顧客情報データベースと、メーカー仕様データベースから指定された機器およびこの機器を収納するラックの諸元データを検索し、その検索結果である諸元一覧表を生成する機器諸元データ検索システムと、顧客により指定された複数個の機器に関する情報に基づき、これらの搭載機器を収納可能なラックサイズを算定し、メーカー仕様データベースに登録されたラックを選定し、選定されたラック情報および搭載機器諸元の集計情報を顧客のマシン室レイアウト内の設置位置情報とともに顧客情報データベースにラック実装情報として登録するラック実装自動計算システムと、ラック耐震自動計算システム、免震装置設置床自動評価システム、ラック熱量自動計算システム、ＵＰＳ自動選定システム、室内冷房自動選定システムあるいは室内照明自動選定システムのうちのいずれか１個または複数個のシステムからなり、マシン室の設備設計の支援に用いる個別設計支援システムと、個別設計支援システムおよびラック実装自動計算システムのいずれかを選択して起動するメニュー手段と、を備え、このメニュー手段により、個別設計支援システムが選択起動されたとき、この選択された個別設計支援システムが、機器諸元データ検索システムにより顧客情報データベースに登録されたラック実装情報を検索して利用することを特徴とするファシリティサービス支援計算システムを提供する。
【発明の効果】
【００１１】
本発明によれば、専門技術の知識を有しない担当者が迅速かつ正確に均一品質な計算書、製作図面等を製作することが可能となるという効果がある。
【発明を実施するための最良の形態】
【００１２】
以下、本発明によるファシリティサービス支援計算システムの一実施の形態を、図面を用いて詳細に説明する。なお、各図において同一箇所については同一の符号を付すとともに、重複した説明は省略する。
【００１３】
＜実施形態の詳細＞
（第１の実施形態）
＜本実施形態の概要＞
本実施形態のファシリティサービス支援計算システムは、サーバ１０と、このサーバにネットワークを介して接続されるクライアントコンピュータ２０と、を備える。
【００１４】
サーバ１０は、機器およびこの機器を収納するラックの諸元データを格納するメーカー仕様データベース１５と、顧客のマシン室、このマシン室に設置されるラックおよびそのレイアウトおよびラックに収納される機器に関する情報を格納する顧客情報データベース１４と、メーカー仕様データベース１５から指定された機器およびこの機器を収納するラックの諸元データを検索し、その検索結果である諸元一覧表を生成する機器諸元データ検索システムと、顧客により指定された複数個の機器に関する情報に基づき、これらの搭載機器を収納可能なラックサイズを算定し、メーカー仕様データベース１５に登録されたラックを選定し、選定されたラック情報および搭載機器諸元の集計情報を顧客のマシン室レイアウト内の設置位置情報とともに顧客情報データベース１４にラック実装情報として登録するラック実装自動計算システムと、ラック耐震自動計算システム、免震装置設置床自動評価システム、ラック熱量自動計算システム、ＵＰＳ自動選定システム、室内冷房自動選定システムあるいは室内照明自動選定システムのうちのいずれか１個または複数個のシステムからなり、前記マシン室の設備設計の支援に用いる個別設計支援システムと、個別設計支援システムおよびラック実装自動計算システムのいずれかを選択して起動するメニュー手段と、を備える。
【００１５】
このメニュー手段により、個別設計支援システムが選択起動されたとき、この選択された個別設計支援システムが、機器諸元データ検索システムにより顧客情報データベース１４に登録されたラック実装情報を検索して利用する。
【００１６】
＜構成の説明＞
図１は本実施形態におけるファシリティサービス支援計算システムの構成を示した図である。図１に示すように、本実施形態のファシリティサービス支援計算システムは、サーバ１０とネットワーク３０を介して接続されたクライアントコンピュータ２０とを含む。
【００１７】
サーバ１０は、いわゆるサーバコンピュータであり、情報の送受信を行う通信装置１１と、演算を行う演算装置１２と、情報を記憶する記憶装置１３と、顧客毎のマシン室の情報を格納する顧客情報データベース１４と、メーカーごとの機器の仕様を格納するメーカー仕様データベース１５と、設計に使用する数値や値を格納する設計引用データベース１６と、顧客に提出する書面や図面の情報を格納する顧客提出図書データベース１７とを備える。（以下、データベースをＤＢと略す。）
クライアントコンピュータ２０は、いわゆるパーソナルコンピュータであり、通信装置２１と、演算装置２２と、記憶装置２３とを備える。
【００１８】
図２は、本実施形態のファシリティサービス支援計算システムの概要を示すブロック図である。図２に示すように、本実施形態のファシリティサービス支援計算システムは顧客情報データベース１４と、メーカー仕様データベース１５と、設計引用データベース１６と、顧客提出図書データベース１７の各データベースと、次の各サブシステムを含む。
【００１９】
機器諸元データ検索システム４１は顧客別マシン室毎のラックに関する情報、マシン室内のレイアウトに関する情報を管理する。
【００２０】
ラック実装自動計算システム４２はラックに搭載する機器である搭載機器を入力してラックのマウント図を作成し、ラックの諸元を集計し、顧客情報データベース１４に格納する。
【００２１】
個別設計支援システム４００はマシン室の設備設計に必要な計算を行い、計算結果を出力するシステムであり、以下のサブシステムを少なくとも一つ含む。
【００２２】
ラック耐震自動計算システム４３はラックに搭載する機器の諸元、及びラックの諸元を基にラックの床への固定方法を自動判定する。
【００２３】
免震装置設置床自動評価システム４４はラックに搭載する機器の諸元、及びラックの諸元を基にフロアの補強方法及び強度安全率を自動判定する。
【００２４】
ラック熱量自動計算システム４５はラックに搭載する機器の諸元、及びラックの諸元を基にラックの必要排熱量を算出し、さらにこの必要排熱量を排熱するために最適なラックファンを検索する。
【００２５】
ＵＰＳ自動選定システム４６はラックに搭載する機器の諸元、及びラックの諸元を基にラック毎の消費電力を算出し、さらにこの消費電力を供給するために最適な無停電電源装置（以下、ＵＰＳと略す。）を検索する。
【００２６】
室内照明自動選定システム４７はマシン室に関する情報と照明器具の情報から、所定の照度を得るために必要な照明器具とその台数を算出する。
【００２７】
室内冷房自動選定システム４８はラックに搭載する機器の諸元、及びマシン室に関する情報を基に室内熱負荷を算出し、さらにこの室内熱負荷に対応した冷房能力を有する冷房機器を検索する。
【００２８】
図３は本実施形態のファシリティサービス支援計算システムの初期画面を示した図である。図３に示すように、初期画面は選択した吹き出し型のリンクをユーザがクリックすることにより各システムが起動するように構成することができる。
【００２９】
図４は顧客情報ＤＢ１４のデータ構成を示した図である。顧客情報ＤＢ１４は、顧客名称を格納する顧客名称テーブル５１１と、マシン室名及び所在地及び必要に応じてその他のマシン室に関する情報を格納するマシン室テーブル５１２と、マシン室レイアウト及び搭載機器名及び必要に応じて搭載する機器に関するその他の情報を格納するレイアウトテーブル５１３と、ラック内での搭載機器の位置を表す搭載機器位置情報及び搭載機器諸元情報及び搭載機器に関するその他の情報を格納する機器諸元テーブル５１４と、を備える。
【００３０】
顧客名称とマシン室名称、マシン室名称とマシン室レイアウト、搭載機器名と搭載機器位置情報と、はそれぞれ関連付けを有するように構成することができる。
【００３１】
図５はメーカー仕様ＤＢ１５のデータ構成を示した図である。メーカー仕様ＤＢ１５は、メーカー名称テーブル５２０と、機器テーブル５２１と、ラックテーブル５２２と、ＵＰＳテーブル５２３と、空調機器テーブル５２４と、冷却ファンテーブル５２５と、を備える。
【００３２】
メーカー名称テーブル５２０はメーカー名称を格納する。
【００３３】
機器テーブル５２１は機器名称、機器の寸法、重量、消費電力、発熱量、標準価格、機器に関するその他の情報を格納する。
【００３４】
ラックテーブル５２２はラック名称、寸法、重量、消費電力、型番、標準価格、ラックに関するその他の情報を格納する。
【００３５】
ＵＰＳテーブル５２３はＵＰＳ名称、寸法、重量、出力容量、型番、標準価格、ＵＰＳに関するその他の情報を格納する。
【００３６】
空調機器テーブル５２４は空調機器名称、冷房能力、消費電力、型番、標準価格、空調機器に関するその他の情報を格納する。
【００３７】
冷却ファンテーブル５２５は冷却ファン名称、冷却能力、消費電力、型番、標準価格、冷却ファンに関するその他の情報を格納する。
【００３８】
メーカー名と機器名称、ラック名称、ＵＰＳ名称、空調機器名称、冷却ファン名称はそれぞれ関連付けを有するように構成することができる。
【００３９】
図６は設計引用ＤＢ１６のデータ構成を示した図である。設計引用ＤＢ１６は、材料テーブル５３１と、照明環境テーブル５３２と、空調環境テーブル５３３と、地震力テーブル５３４とを備える。
【００４０】
材料テーブル５３１は材料名称、強度、熱貫通率、材料に関するその他の情報を格納する。
【００４１】
照明環境テーブル５３２は基準照度、保守率、室指数、光束、照明に関するその他の情報を格納する。
【００４２】
空調環境テーブル５３３は方位別輻射熱量、熱伝導率、地域別温度・湿度、空調に関するその他の情報を格納する。
【００４３】
地震力テーブル５３４は地域係数、地盤種別固有周期、地震に関するその他の情報を格納する。
【００４４】
図７は顧客提出図書ＤＢ１７のデータ構成を示した図である。顧客提出図書ＤＢ１７は書類名テーブル５４１を備える。
【００４５】
書類名テーブル５４１は書類名称、見積金額計算書、図面、冷房能力計算書、ラック耐震計算書、免震装置床強度検証報告書、ラック架台図、ＯＡフロア耐震補強要領図、その他の書面及び図面を格納する。格納された各書面は書類名と関連付けを有するように構成することができる。
【００４６】
＜動作の説明＞
（機器諸元データ検索システム４１）
機器諸元データ検索システム４１は、サーバ１０がクライアントコンピュータ２０から顧客名とマシン室名の入力を受け入れ、顧客情報データベース１４から顧客名とマシン室名を基にマシン室のレイアウトを読み出し、ラックを配置したレイアウト図を生成する。
【００４７】
図８は機器諸元データ検索システム４１におけるサーバ１０の動作を表したフローチャートである。
【００４８】
ステップＳ７０１において、サーバ１０はクライアントコンピュータ２０から顧客名の入力を受け入れる。ステップＳ７０２において、サーバ１０は顧客名を基に顧客情報ＤＢ１４をマシン室名について検索し、結果をクライアントコンピュータ２０に出力する。
【００４９】
ステップＳ７０３において、サーバ１０はクライアントコンピュータ２０からマシン室名の入力を受け入れる。ステップＳ７０４において、サーバ１０は顧客名、マシン室名を基に顧客情報ＤＢ１４をラック名について検索し、結果をクライアントコンピュータ２０に出力する。
【００５０】
ステップＳ７０５において、サーバ１０は印刷指示があったか判定する。印刷指示があった場合はステップＳ７０６に進み、印刷指示がなかった場合はステップＳ７０７に進む。
【００５１】
ステップＳ７０６において、サーバ１０はレイアウト図を生成し、印刷して出力する。レイアウト図の生成は次のように行う。すなわち、顧客情報ＤＢ１４にはマシン室のレイアウトと、各ラックの大きさ、配置位置が座標にて格納されている。サーバ１０はマシン室のレイアウトと、各ラックの図を合成して生成する。
【００５２】
ステップＳ７０７において、サーバ１０はクライアントコンピュータ２０からラック名称の選択入力があったか判定する。サーバ１０は、選択入力があった場合ステップS７０８に進み、選択入力がなかった場合ステップＳ７０１に戻る。
【００５３】
ステップＳ７０８において、サーバ１０はラック名を基に顧客情報ＤＢ１４をラックの諸元について検索し、結果をクライアントコンピュータ２０に出力する。
【００５４】
ステップＳ７０９において、サーバ１０は印刷指示があったか判定する。印刷指示があった場合はステップＳ７１０に進み、印刷指示がなかった場合は処理を終了する。
【００５５】
ステップＳ７１０において、サーバ１０は機器諸元表を印刷し、処理を終了する。機器諸元表には、例えば次のような項目、すなわちラック毎に実装機器の寸法、重量、Ｕ数、消費電力、ラックの寸法、メーカー、ラック重心の高さ、などが印刷される。
【００５６】
図９はレイアウト図の例を示した図である。図９においては、点線はあらかじめ設定された長さを表す升目であり、ラック１乃至ラック３は各ラックがマシン室内においてどの位置に設置されるかを示す。図９においてはラックの位置のほかにマシン室であるサーバ室全体の諸元を表示している。
【００５７】
（ラック実装自動計算システム４２）
ラック実装自動計算システム４２は、サーバ１０がクライアントコンピュータ２０からラックに実装する機器である搭載機器の入力を受け入れ、メーカー仕様データベース１５から入力された搭載機器の諸元を読み込み、入力された搭載機器を収納可能なラックをメーカー仕様データベース１５から読み出す。
【００５８】
また、サーバ１０がクライアントコンピュータ２０からマシン室におけるラックの位置に関する情報の入力を受け入れ、顧客情報データベース１４からマシン室に設置するラックに関する情報を読み込み、ラックを配置したレイアウト図を生成する。
【００５９】
また、サーバ１０は搭載機器のうちサーバ系の機器があらかじめ定められた割合を越えたとき、堅牢なラックを選択する。サーバ１０は搭載機器のうちＬＡＮ系の機器があらかじめ定められた割合を越えたとき、収納率の高いラックを選択する。
【００６０】
さらに、サーバ１０は発熱量の最も大きい搭載機器をラックの上方に配置し、重量の最も大きい搭載機器をラックの下方に配置する。
【００６１】
また、サーバ１０は顧客情報データベース１４から、ラックの諸元とこのラックの搭載機器を読み出し、搭載機器を搭載した状態のラック全体の重心を算出する。サーバ１０は顧客情報データベース１４から、ラックの諸元とこのラックの搭載機器を読み出し、搭載機器を搭載した状態のラック全体の実装図を生成する。
【００６２】
図１０はラック実装自動計算システム４２におけるサーバ１０の動作を表したフローチャートである。
【００６３】
ステップＳ８０１において、サーバ１０はクライアントコンピュータ２０からラック要求仕様の入力を受け入れる。ラック要求仕様とは、顧客が要望するラックが備えるべき最低限の仕様である。
【００６４】
ステップＳ８０２において、サーバ１０はラック要求仕様を基にメーカー仕様ＤＢ１５をラックについて検索し、結果をクライアントコンピュータ２０に出力する。
【００６５】
ステップＳ８０３において、サーバ１０はクライアントコンピュータ２０から搭載機器の入力を受け入れる。ステップＳ８０４において、サーバ１０は搭載機器を基にメーカー仕様ＤＢ１５を機器諸元について検索・更新し、結果をクライアントコンピュータ２０に出力する。
【００６６】
ステップＳ８０５において、サーバ１０はクライアントコンピュータ２０から搭載機器のラックへの実装順の入力を受け入れる。
【００６７】
ステップＳ８０６において、サーバ１０はクライアントコンピュータ２０に、ラックに搭載機器を実装したときの様子を示す実装図と、実装した搭載機器の諸元表を表示する。
【００６８】
ステップＳ８０７において、サーバ１０は印刷指示があったか判定する。印刷指示があった場合はステップＳ８０８に進み、印刷指示がなかった場合はステップＳ８０９に進む。ステップＳ８０８において、サーバ１０は実装図及び諸元表を印刷して出力する。
【００６９】
ステップＳ８０９において、サーバ１０は諸元表の数値を基にメーカー仕様ＤＢ１５をラックについて検索し、結果をクライアントコンピュータ２０に出力する。ここで、諸元表の数値は、例えば搭載機器の厚さの単位であるＵ数の合計値を用いることができる。
【００７０】
ステップＳ８１０において、サーバ１０はクライアントコンピュータ２０からラックメーカー及び型番の入力があったか判定する。入力があった場合はステップＳ８１１に進み、入力がなかった場合はステップＳ８０１に戻る。
【００７１】
ステップＳ８１１において、ラック名を基にメーカー仕様ＤＢ１５をラック諸元について検索し、結果をクライアントコンピュータ２０に出力する。
【００７２】
ステップＳ８１２において、サーバ１０は印刷指示があったか判定する。印刷指示があった場合はステップＳ８１３に進み、印刷指示がなかった場合は図１１のステップＳ９０１に進む。ステップＳ８１３において、サーバ１０はラック仕様を印刷して出力する。
【００７３】
図１１はラック実装自動計算システム４２におけるサーバ１０の動作を表したフローチャートの続きである。
【００７４】
ステップＳ９０１において、サーバ１０はクライアントコンピュータ２０から顧客名およびマシン室名の入力を受け入れる。
【００７５】
ステップＳ９０２において、サーバ１０は顧客名及びマシン室名を基に顧客情報ＤＢ１４をマシン室レイアウトについて検索し、結果をクライアントコンピュータ２０に出力する。
【００７６】
ステップＳ９０３において、サーバ１０はクライアントコンピュータ２０からラックのマシン室における位置の入力を受け入れる。
【００７７】
ステップＳ９０４において、サーバ１０は顧客情報ＤＢ１４をマシン室のレイアウトについて更新する。
【００７８】
ステップＳ９０５において、サーバ１０は印刷指示があったか判定する。印刷指示があった場合はステップＳ９０６に進み、印刷指示がなかった場合は処理を終了する。ステップＳ９０６において、サーバ１０はレイアウト図を印刷して出力し、処理を終了する。
【００７９】
図１２は入力画面の一つである「ラック要求仕様入力」画面を示した図である。図１２に示すように、「ラック要求仕様入力」画面においてはラック１３０のパネル仕様、フレーム材質、扉仕様のほか、必要に応じてその他の項目を選択入力することができる。
【００８０】
図１２においては扉つきのラック１３０が示されているが、ラック１３０の種類はこれに限られない。ラック１３０に収納される機器にも制限はなく、拡張記憶装置、ＵＰＳのほか、モニタ、キーボードなども収納可能である。
【００８１】
図１３は実装図及び諸元表を示した図である。実装図において黒く塗りつぶした長方形は搭載機器を表し、縦の長さは搭載機器の高さ（Ｕ数）に相当する。図１３に示したほかに、ラックの高さ、ラックの幅、ラックの奥行、重量の合計、ラックの重心位置、発熱量の合計、消費電力の合計などを追加して記載することもできる。
【００８２】
ここで、Ｕ数について説明する。図２４は搭載機器とラックの取り付け部位を示した図である。図２４（ａ）において、ｈは搭載機器２４０の高さを表す。また、図２４（ｂ）は、ラックの内部側面に設置された取り付けビス穴を示している。取り付けビス穴は等間隔に設けられている。この間隔一つ分は、高さｈが１Ｕ（４４．４５ｍｍ）の搭載機器を取り付けるのに適した間隔にて設けられている。
【００８３】
搭載機器は通常１Ｕの整数倍の高さを有するように設計されているため、ラックの中に複数の機器を整然と収納することが可能である。
【００８４】
（ラック耐震自動計算システム４３）
ラック耐震自動計算システム４３においては、サーバ１０がクライアントコンピュータ２０から顧客名とマシン室名とラック名の入力を受け入れ、顧客情報データベース１４から顧客名とマシン室名とラック名を基にラックの諸元および搭載機器およびマシン室におけるラックの設置に関する情報を読み出し、さらに、クライアントコンピュータ２０から設計用地の入力を受け入れ、設計引用データベース１６から設計用地の地震力を読み込み、地震が生じた時にラックに作用する発生応力を算出する。
【００８５】
また、サーバ１０が、顧客情報データベース１４からラック設置位置のフロアの仕様を読み込み、地震発生時に搭載機器を搭載したラックがフロアに完全に固定されるか判定し、ラックが地震発生時にフロアに完全に固定されない場合、間接支持が可能か判定し、間接支持が可能な場合、クライアントコンピュータ２０から間接支持の方法の入力を受け入れ、間接支持が不可能な場合、必要な支持架台の諸元を算出する。
【００８６】
図１４はラック耐震自動計算システム４３におけるサーバ１０の動作を表したフローチャートである。
【００８７】
ステップＳ１００１において、サーバ１０はクライアントコンピュータ２０から顧客名、マシン室名、ラック名の入力を受け入れる。
【００８８】
ステップＳ１００２において、サーバ１０は顧客名、マシン室名、ラック名を基に顧客情報ＤＢ１４をラック情報について検索し、結果をクライアントコンピュータ２０に出力する。
【００８９】
ステップＳ１００３において、サーバ１０はクライアントコンピュータ２０からラック寸法、ラック重量、ラック重心高さの入力を受け入れる。
【００９０】
ステップＳ１００４において、サーバ１０はクライアントコンピュータ２０からＯＡフロア仕様・高さ、ラック支持脚部位置、支持架台外寸要求の入力を受け入れる。
【００９１】
ステップＳ１００５において、サーバ１０はクライアントコンピュータ２０からラックの柱脚固定方法の入力を受け入れる。
【００９２】
ステップＳ１００６において、サーバ１０はクライアントコンピュータ２０から設計用地の入力を受け入れる。
【００９３】
ステップＳ１００７において、サーバ１０は設計用地を基に設計引用ＤＢ１６を地震力について検索する。
【００９４】
ステップＳ１００８において、サーバ１０はラックに作用する発生応力を算出する。
【００９５】
ステップＳ１００９において、サーバ１０は印刷指示があったか判定する。印刷指示があった場合はステップＳ１０１０に進み、印刷指示がなかった場合はステップＳ１０１１に進む。ステップＳ１０１０において、サーバ１０はラック発生応力計算表を印刷して出力する。
【００９６】
ステップＳ１０１１において、サーバ１０はラック支持脚部の耐震固定仕様を設計する。
【００９７】
ステップＳ１０１２において、サーバ１０は印刷指示があったか判定する。印刷指示があった場合はステップＳ１０１３に進み、印刷指示がなかった場合は図１５に示すステップＳ１１０１に進む。ステップＳ１０１３において、サーバ１０はラック支持脚部設計計算表と固定要領図を印刷して出力する。
【００９８】
図１５はラック耐震自動計算システム４３におけるサーバ１０の動作を表したフローチャートの続きである。
【００９９】
ステップＳ１１０１において、サーバ１０はラックがＯＡフロア上に完全に耐震固定可能か判定する。この判定は、ラックに作用する発生応力とラック支持脚部のＯＡフロアへの耐震固定強度を比較して行う。
【０１００】
ラックがＯＡフロア上に完全に耐震固定可能である場合、サーバ１０はステップＳ１１０２に進み、耐震固定不可能である場合、ステップＳ１１０５に進む。
【０１０１】
ステップＳ１１０２において、サーバ１０はＯＡフロアパネルへの耐震固定を設計する。
【０１０２】
ステップＳ１１０３において、サーバ１０は印刷指示があったか判定する。印刷指示があった場合はステップＳ１１０４に進み、印刷指示がなかった場合は図１６に示すステップＳ１２０３に進む。ステップＳ１１０４において、サーバ１０はＯＡフロアパネル耐震固定設計計算表と固定要領図を印刷して出力し、図１６に示すステップＳ１２０３に進む。
【０１０３】
ステップＳ１１０５において、サーバ１０はラックがＯＡフロア上に間接支持により耐震固定可能か判定する。この判定は、ラックに作用する発生応力とラック支持脚部のＯＡフロアへの耐震固定を間接的に補強する機構との耐震強度を比較して行う。
【０１０４】
ラックがＯＡフロア上に間接支持により耐震固定可能である場合、サーバ１０はステップＳ１１１１に進み、間接支持により耐震固定不可能である場合、図１６に示すステップＳ１２０１に進む。
【０１０５】
ステップＳ１１１１において、サーバ１０はクライアントコンピュータ２０から転倒防止仕様の入力を受け入れる。
【０１０６】
ステップＳ１１１２において、サーバ１０は入力された転倒防止仕様が全ネジボルト仕様かを判定する。転倒防止仕様が全ネジボルト仕様であった場合、ステップＳ１１０８に進み、転倒防止仕様が全ネジボルト仕様ではなかった場合にはステップＳ１１１３に進む。
【０１０７】
ステップＳ１１０８において、サーバ１０は全ネジボルト仕様の耐震固定を設計する。
【０１０８】
ステップＳ１１０９において、サーバ１０は印刷指示があったか判定する。印刷指示があった場合はステップＳ１１１０に進み、印刷指示がなかった場合は図１６に示すステップＳ１２０３に進む。ステップＳ１１１０において、サーバ１０は全ネジボルト耐震固定設計計算表と固定要領図を印刷して出力し、図１６に示すステップＳ１２０３に進む。
【０１０９】
ステップＳ１１１３において、サーバ１０は斜め平鋼仕様の耐震固定を設計する。
【０１１０】
ステップＳ１１１４において、サーバ１０は印刷指示があったか判定する。印刷指示があった場合はステップＳ１１１５に進み、印刷指示がなかった場合は図１６に示すステップＳ１２０３に進む。ステップＳ１１１５において、サーバ１０は斜め平鋼耐震固定設計計算表と固定要領図を印刷して出力し、図１６に示すステップＳ１２０３に進む。
【０１１１】
図１６はラック耐震自動計算システム４３におけるサーバ１０の動作を表したフローチャートの続きである。
【０１１２】
ステップＳ１２０１において、サーバ１０は支持架台設計を行う。具体的には、架台柱梁部材の断面算定，固定ボルト，アンカーボルトを算定する。ステップＳ１２０２において、サーバ１０は各選定部材の強度安全率（部材許容応力に対する地震時発生応力の割合を強度安全率とする。）をクライアントコンピュータ２０に表示する。
【０１１３】
ステップＳ１２０３において、サーバ１０は顧客提出用の各計算書及び図面の編集を行い、顧客提出図書ＤＢ１７に出力し、処理を終了する。
【０１１４】
（免震装置設置床自動評価システム４４）
免震装置設置床自動評価システム４４においては、サーバ１０は顧客情報データベース１４からレイアウト図を読み込み、クライアントコンピュータ２０から免震装置を設置するラック及びフロアの仕様及び設計用地震力の入力を受け入れ、強度安全率を算出し、強度安全率が所定の値を下回った場合、クライアントコンピュータ２０から補強工法に関する情報の入力を受け入れと、強度安全率を算出と、強度安全率が所定の値以上であるかの判定とを繰り返す。
【０１１５】
図１７は免震装置設置床自動評価システム４４におけるサーバ１０の動作を表したフローチャートである。
【０１１６】
ステップＳ１３０１において、サーバ１０はクライアントコンピュータ２０から顧客名、マシン室名の入力を受け入れる。
【０１１７】
ステップＳ１３０２において、サーバ１０は顧客名、マシン室名を基に顧客情報ＤＢ１４をレイアウト図について検索し、結果をクライアントコンピュータ２０に出力する。
【０１１８】
ステップＳ１３０３において、サーバ１０はクライアントコンピュータ２０から免震装置を設置するラック群の入力を受け入れる。
【０１１９】
ステップＳ１３０４において、サーバ１０はクライアントコンピュータ２０からＯＡフロア仕様の入力を受け入れる。ＯＡフロアの仕様は、例えばＯＡフロアパネルサイズ及び材質、支柱サイズ及び材質、スラブ定着方法などが挙げられる。
【０１２０】
ステップＳ１３０５において、サーバ１０はクライアントコンピュータ２０から設計用地震力の入力を受け入れる。地震力は例えば３段階のレベル分けを行い、その中から選択入力するように構成することができる。
【０１２１】
ステップＳ１３０６において、サーバ１０は免震装置設置エリアの免震効果による応答加速度低減を考慮した地震時ラック作用力を算出する。
【０１２２】
ステップＳ１３０７において、サーバ１０は印刷指示があったか判定する。印刷指示があった場合はステップＳ１３０８に進み、印刷指示がなかった場合はステップＳ１３０９に進む。ステップＳ１３０８において、サーバ１０は免震装置設置床へのラック作用力計算表を印刷して出力し、ステップＳ１３０８に進む。
【０１２３】
ステップＳ１３０９において、サーバ１０は免震装置設置エリアのＯＡフロア強度検証を行う。強度検証内容は、例えばパネル強度・パネルたわみ性能、支柱強度、ベースプレート強度、ベースプレート付着強度の検証などが挙げられる。
【０１２４】
ステップＳ１３１０において、サーバ１０は印刷指示があったか判定する。印刷指示があった場合はステップＳ１３１１に進み、印刷指示がなかった場合は図１８に示すステップＳ１４０１に進む。ステップＳ１３１１において、サーバ１０は免震装置設置床の強度計算表を印刷して出力し、図１８に示すステップＳ１４０１に進む。
【０１２５】
図１８は免震装置設置床自動評価システム４４におけるサーバ１０の動作を表したフローチャートの続きである。
【０１２６】
ステップＳ１４０１において、サーバ１０はＯＡフロア各部位の強度安全率を算出する。
【０１２７】
ステップＳ１４０２において、サーバ１０は算出した強度安全率が１．０未満かを判定する。強度安全率が１．０未満であった場合はステップＳ１４１３に進み、１．０未満でなかった場合はステップＳ１４０３に進む。
【０１２８】
ステップＳ１４０３において、サーバ１０はＯＡフロア補強案の選択入力を受け付ける。選択された補強案が「ＯＡフロア斜材補強工法」であった場合にはステップＳ１４０４に、「ＯＡフロア支柱補強工法」であった場合にはステップＳ１４０７に、「ＯＡフロアねがらみ補強工法」であった場合にはステップＳ１４１０に進む。
【０１２９】
ステップＳ１４０４において、サーバ１０はＯＡフロア斜材補強工法によりＯＡフロア補強を設計する。
【０１３０】
ステップＳ１４０５において、サーバ１０はＯＡフロア各部位の強度安全率を算出する。
【０１３１】
ステップＳ１４０６において、サーバ１０は算出した強度安全率が１．０未満かを判定する。強度安全率が１．０未満であった場合はステップＳ１４１３に進み、１．０未満でなかった場合はステップＳ１４０３に進む。
【０１３２】
ステップＳ１４０７において、サーバ１０はＯＡフロア支柱補強工法によりＯＡフロア補強を設計する。
【０１３３】
ステップＳ１４０８において、サーバ１０はＯＡフロア各部位の強度安全率を算出する。
【０１３４】
ステップＳ１４０９において、サーバ１０は算出した強度安全率が１．０未満かを判定する。強度安全率が１．０未満であった場合はステップＳ１４１３に進み、１．０未満でなかった場合はステップＳ１４０３に進む。
【０１３５】
ステップＳ１４１０において、サーバ１０はＯＡフロア根がらみ補強工法によりＯＡフロア補強を設計する。
【０１３６】
ステップＳ１４１１において、サーバ１０はＯＡフロア各部位の強度安全率を算出する。
【０１３７】
ステップＳ１４１２において、サーバ１０は算出した強度安全率が１．０未満かを判定する。強度安全率が１．０未満であった場合はステップＳ１４１３に進み、１．０未満でなかった場合はステップＳ１４０３に進む。
【０１３８】
ステップＳ１４１３において、サーバ１０は顧客提出用計算書及び図面の編集を行い、顧客提出図書ＤＢ１７に格納し、処理を終了する。
【０１３９】
（ラック熱量自動計算システム４５）
ラック熱量自動計算システム４５においては、サーバ１０はクライアントコンピュータ２０から顧客名とマシン室名とラック名の入力を受け入れ、顧客情報データベース１４から顧客名とマシン室名とラック名を基にラックの諸元および搭載機器の発熱量を読み出し、さらに、クライアントコンピュータ２０からマシン室の空調方式の入力を受け入れ、設計引用データベース１６からラックのパネルの熱通過率を読み込み、ラックの必要排熱量を算出し、メーカー仕様データベース１５から、ラックから必要排熱量を排熱するのに十分な諸元を備えたラックファンを検索する。
【０１４０】
図１９はラック熱量自動計算システム４５におけるサーバ１０の動作を表したフローチャートである。
【０１４１】
ステップＳ１５０１において、サーバ１０はクライアントコンピュータ２０から顧客名、マシン室名、ラック名の入力を受け入れる。
【０１４２】
ステップＳ１５０２において、サーバ１０は顧客名、マシン室名、ラック名を基に顧客情報ＤＢ１４をラック情報について検索し、結果をクライアントコンピュータ２０に出力する。
【０１４３】
ステップＳ１５０３において、サーバ１０はクライアントコンピュータ２０からラック仕様、ラック総発熱量の入力を受け入れる。
【０１４４】
ステップＳ１５０４において、サーバ１０はクライアントコンピュータ２０からマシン室の空調方式の入力を受け入れる。空調方式は顧客情報ＤＢ１４に格納しておき、リストボックスから選択するように構成してもよい。
【０１４５】
ステップＳ１５０５において、サーバ１０はラックパネルの材質を基に設計引用ＤＢをその材質の熱通過率について検索し、読みだした熱通過率を基にラックパネルの熱通過率を算出する。
【０１４６】
ステップＳ１５０６において、サーバ１０は印刷指示があったか判定する。印刷指示があった場合はステップＳ１５０７に進み、印刷指示がなかった場合はステップＳ１５０８に進む。ステップＳ１５０７において、サーバ１０はラックパネルの熱通過率表を印刷して出力し、ステップＳ１５０８に進む。
【０１４７】
ステップＳ１５０８において、サーバ１０はラック搭載機器の総発熱量から筐体表部からの放熱分を差引き、ラック必要排熱量を算出する。
【０１４８】
ステップＳ１５０９において、サーバ１０は印刷指示があったか判定する。印刷指示があった場合はステップＳ１５１０に進み、印刷指示がなかった場合はステップＳ１５１１に進む。ステップＳ１５１０において、サーバ１０はラック必要排熱量計算表を印刷して出力し、ステップＳ１５１１に進む。
【０１４９】
ステップＳ１５１１において、サーバ１０はラック必要排熱量を基にメーカー仕様ＤＢ１５をラックファンについて検索し、クライアントコンピュータ２０に出力し、処理を終了する。
【０１５０】
（ＵＰＳ自動選定システム４６）
ＵＰＳ自動選定システム４６においては、サーバ１０は、クライアントコンピュータ２０から顧客名とマシン室名とラック名の入力を受け入れ、顧客情報データベース１４から顧客名とマシン室名とラック名を基にラックの諸元および搭載機器の消費電力を読み出し、ラックの総消費電力を算出し、メーカー仕様データベース１５から、総消費電力を供給するのに十分な諸元を備えたＵＰＳを検索する。
【０１５１】
図２０はＵＰＳ自動選定システム４６におけるサーバ１０の動作を表したフローチャートである。
【０１５２】
ステップＳ１６０１において、サーバ１０はクライアントコンピュータ２０から顧客名、マシン室名、ラック名の入力を受け入れる。
【０１５３】
ステップＳ１６０２において、サーバ１０は顧客名、マシン室名、ラック名を基に顧客情報ＤＢ１４をラック情報について検索し、結果をクライアントコンピュータ２０に出力する。
【０１５４】
ステップＳ１６０３において、サーバ１０はクライアントコンピュータ２０から搭載機器の消費電力を含めたラック全体の総消費電力の入力を受け入れる。
【０１５５】
ステップＳ１６０４において、サーバ１０は総消費電力に基づいて設計引用ＤＢ１６を検索し、必要ＵＰＳ容量を各機器の電力特性から適切な力率と余裕度を算出して計算する。
【０１５６】
ステップＳ１６０５において、サーバ１０はクライアントコンピュータ２０からＵＰＳの据え付け方式、メーカー名、価格帯を、メーカー仕様ＤＢ１５を参照して選択入力する。
【０１５７】
ステップＳ１６０６において、サーバ１０は選択されたＵＰＳの据え付け方式、メーカー名、価格帯に基づいてメーカー仕様ＤＢ１５をＵＰＳについて検索し、検索されたＵＰＳのメーカー名、型番をクライアントコンピュータ２０に出力する。
【０１５８】
ステップＳ１６０７において、サーバ１０は印刷指示があったか判定する。印刷指示があった場合はステップＳ１６０８に進み、印刷指示がなかった場合は処理を終了する。
【０１５９】
ステップＳ１６０８において、サーバ１０は性能仕様表、外形図を印刷して出力し、処理を終了する。
【０１６０】
（室内照明自動選定システム４７）
室内照明自動選定システム４７においては、サーバ１０はクライアントコンピュータ２０から顧客名とマシン室名の入力を受け入れ、顧客情報データベース１４から顧客名とマシン室名を基にマシン室に関する情報を読み出し、クライアントコンピュータ２０から照明仕様及び必要照度の入力を受け入れ、設計引用データベース１６から、マシン室に必要照度を供給するのに十分な照明器具を検索して、検索した照明器具の必要台数を算出する。
【０１６１】
図２１は室内照明自動選定システム４７におけるサーバ１０の動作を表したフローチャートである。
【０１６２】
ステップＳ１７０１において、サーバ１０はクライアントコンピュータ２０から顧客名、マシン室名の入力を受け入れる。
【０１６３】
ステップＳ１７０２において、サーバ１０は顧客名、マシン室名を基に顧客情報ＤＢ１４をマシン室の情報について検索し、結果をクライアントコンピュータ２０に出力する。
【０１６４】
ステップＳ１７０３において、サーバ１０はクライアントコンピュータ２０から部屋用途、部屋面積、天井高さなどのマシン室に関する情報の入力を受け入れる。
【０１６５】
ステップＳ１７０４において、サーバ１０はクライアントコンピュータ２０からマシン室の内装仕様の入力を受け入れる。
【０１６６】
ステップＳ１７０５において、サーバ１０はクライアントコンピュータ２０からマシン室の照明仕様の入力を受け入れる。
【０１６７】
ステップＳ１７０６において、サーバ１０は入力されたマシン室に関する情報と、検索したマシン室に関する情報を基に設計引用ＤＢ１６を器具について検索し、必要器具の台数を計算し、クライアントコンピュータ２０に出力する。
【０１６８】
ステップＳ１７０７において、サーバ１０は印刷指示があったか判定する。印刷指示があった場合はステップＳ１７０８に進み、印刷指示がなかった場合は処理を終了する。
【０１６９】
ステップＳ１７０８において、サーバ１０は照度計算表を印刷して出力し、処理を終了する。
【０１７０】
（室内冷房自動選定システム４８）
室内冷房自動選定システム４８においては、サーバ１０はクライアントコンピュータ２０から顧客名とマシン室名の入力を受け入れ、顧客情報データベース１４から顧客名とマシン室名を基にマシン室に関する情報及び設置機器の発熱量を検索し、クライアントコンピュータ２０からマシン室の構造に関する情報の入力を受け入れ、マシン室の熱負荷を算出し、マシン室に熱負荷に対応する冷房を供給するのに十分な冷房機器を検索する。
【０１７１】
図２２は室内冷房自動選定システム４８におけるサーバ１０の動作を表したフローチャートである。
【０１７２】
ステップＳ１８０１において、サーバ１０はクライアントコンピュータ２０から顧客名、マシン室名の入力を受け入れる。
【０１７３】
ステップＳ１８０２において、サーバ１０は顧客名、マシン室名を基に顧客情報ＤＢ１４をマシン室の情報について検索し、結果をクライアントコンピュータ２０に出力する。
【０１７４】
ステップＳ１８０３において、サーバ１０はクライアントコンピュータ２０からマシン室の所在地、部屋用途、部屋面積、天井高さ、階数、照明方位、窓・ブラインド仕様、窓開口面積、在籍人数、建物構造種別などのマシン室に関する情報の入力を受け入れる。
【０１７５】
ステップＳ１８０４において、サーバ１０は壁、天井についての情報に基づいて設計引用ＤＢ１６を熱貫通率について検索し、壁・天井の熱貫通率を計算する。
【０１７６】
ステップＳ１８０５において、サーバ１０はマシン室の階数、方位、窓の位置や大きさに基づいて設計引用ＤＢ１６を部材の方位別相対温湿差、時刻暦別窓ふく射熱量について検索し、建物熱負荷を集計する。
【０１７７】
ステップＳ１８０６において、サーバ１０は顧客名、マシン室名を基に顧客情報ＤＢ１４を搭載機器の発熱諸元について検索し、電灯，人員，侵入外気による熱負荷に、メーカー仕様ＤＢ１５から読み出した機器発熱負荷を加算し、室内熱負荷を計算する。
【０１７８】
ステップＳ１８０７において、サーバ１０は熱負荷計算書を編集し、顧客提出図書ＤＢ１７に出力する。
【０１７９】
ステップＳ１８０８において、サーバ１０は建物負荷と室内負荷を加算し、余裕度を乗じて、必要冷房能力を計算する。
【０１８０】
ステップＳ１８０９において、サーバ１０は必要冷房能力を基にメーカー仕様ＤＢ１５を空調機器について検索し、クライアントコンピュータ２０に出力し、処理を終了する。
【０１８１】
＜本実施形態の効果＞
以上述べたように、本実施形態のファシリティサービス支援計算システムは、顧客のマシン室に関する情報を格納する顧客情報ＤＢ１４と、メーカーごとの機器に関する情報を格納するメーカー仕様ＤＢ１５と、設計に用いる諸データを格納する設計引用ＤＢ１６と、書類及び図面を格納する顧客提出図書ＤＢ１７とを備え、これらのデータベースから情報を検索して計算する専門分野別の８つのシステムを備える。
【０１８２】
このため、本実施形態のファシリティサービス支援計算システムは、専門技術の知識を有しない担当者が迅速かつ正確に計算書、製作図面等を製作することが可能となるという効果がある。
【０１８３】
（第２の実施形態）
＜本実施形態の概要＞
本実施形態のファシリティサービス支援計算システムは、機器およびこの機器を収納するラックの諸元データを格納するメーカー仕様データベース１５と、顧客のマシン室、このマシン室に設置されるラックおよびそのレイアウトおよび前記ラックに収納される前記機器に関する情報を格納する顧客情報データベース１４と、メーカー仕様データベース１５から指定された機器およびこの機器を収納するラックの諸元データを検索し、その検索結果である諸元一覧表を生成する機器諸元データ検索システムと、顧客により指定された複数個の機器に関する情報に基づき、これらの搭載機器を収納可能なラックサイズを算定し、メーカー仕様データベース１５に登録されたラックを選定し、選定されたラック情報および搭載機器諸元の集計情報を顧客のマシン室レイアウト内の設置位置情報とともに顧客情報データベースにラック実装情報として登録するラック実装自動計算システムと、ラック耐震自動計算システム、免震装置設置床自動評価システム、ラック熱量自動計算システム、ＵＰＳ自動選定システム、室内冷房自動選定システムあるいは  室内照明自動選定システムのうちのいずれか１個または複数個のシステムからなり、マシン室の設備設計の支援に用いる個別設計支援システムと、個別設計支援システムおよび前記ラック実装自動計算システムのいずれかを選択して起動するメニュー手段と、を備える。
【０１８４】
このメニュー手段により、個別設計支援システムが選択起動されたとき、この選択された個別設計支援システムが、機器諸元データ検索システムにより顧客情報データベース１４に登録されたラック実装情報を検索して利用する。
【０１８５】
＜構成の説明＞
図２３は本実施形態におけるファシリティサービス支援計算システムの構成を示した図である。図２３に示すように、本実施形態のファシリティサービス支援計算システムは、パーソナルコンピュータ４０を含む。
【０１８６】
パーソナルコンピュータ４０は、演算を行う演算装置１２と、情報を記憶する記憶装置１３と、顧客毎のマシン室の情報を格納する顧客情報ＤＢ１４と、メーカーごとの機器の仕様を格納するメーカー仕様ＤＢ１５と、設計に使用する数値や値を格納する設計引用ＤＢ１６と、顧客に提出する書面や図面の情報を格納する顧客提出図書ＤＢ１７とを備える。
【０１８７】
本実施形態のファシリティサービス支援計算システムの概要は、図２に示す第１の実施形態におけるものと同様である。
【０１８８】
本実施形態における顧客情報データベース１４と、メーカー仕様データベース１５と、設計引用データベース１６と、顧客提出図書データベース１７のデータ構成は、第１の実施形態におけるものと同様である。
【０１８９】
＜動作の説明＞
本実施形態におけるパーソナルコンピュータ４０の動作は、第１の実施形態におけるサーバ１０の動作と同様である。また、本実施形態において、第１の実施形態のクライアントコンピュータ２０はパーソナルコンピュータ４０の入出力装置に該当する。
【０１９０】
（機器諸元データ検索システム４１）
機器諸元データ検索システム４１は、顧客名とマシン室名の入力を受け入れ、顧客情報データベース１４から顧客名とマシン室名を基にマシン室のレイアウトを読み出し、ラックを配置したレイアウト図を生成する。
【０１９１】
（ラック実装自動計算システム４２）
ラック実装自動計算システム４２は、ラックに実装する機器である搭載機器の入力を受け入れ、メーカー仕様データベース１５から入力された搭載機器の諸元を読み込み、入力された搭載機器を収納可能なラックをメーカー仕様データベース１５から読み出す。
【０１９２】
また、ラック実装自動計算システム４２は、マシン室におけるラックの位置に関する情報の入力を受け入れ、顧客情報データベース１４からマシン室に設置するラックに関する情報を読み込み、ラックを配置したレイアウト図を生成する。
【０１９３】
また、ラック実装自動計算システム４２は、搭載機器のうちサーバ系の機器があらかじめ定められた割合を越えたとき、堅牢なラックを選択する。ラック実装自動計算システム４２は、搭載機器のうちＬＡＮ系の機器があらかじめ定められた割合を越えたとき、収納率の高いラックを選択する。
【０１９４】
さらに、ラック実装自動計算システム４２は、発熱量の最も大きい搭載機器をラックの上方に配置し、重量の最も大きい搭載機器をラックの下方に配置する。
【０１９５】
また、ラック実装自動計算システム４２は、顧客情報データベース１４から、ラックの諸元とこのラックの搭載機器を読み出し、搭載機器を搭載した状態のラック全体の重心を算出する。ラック実装自動計算システム４２は、顧客情報データベース１４から、ラックの諸元とこのラックの搭載機器を読み出し、搭載機器を搭載した状態のラック全体の実装図を生成する。
【０１９６】
（ラック耐震自動計算システム４３）
ラック耐震自動計算システム４３は、顧客名とマシン室名とラック名の入力を受け入れ、顧客情報データベース１４から顧客名とマシン室名とラック名を基にラックの諸元および搭載機器およびマシン室におけるラックの設置に関する情報を読み出し、さらに、設計用地の入力を受け入れ、設計引用データベース１６から設計用地の地震力を読み込み、地震が生じた時にラックに作用する発生応力を算出する。
【０１９７】
制御部４１が、顧客情報データベース１４からラックのフロアへの固定方法を読み込み、地震発生時に搭載機器を搭載したラックがフロアに完全に固定されるか判定し、ラックが地震発生時にフロアに完全に固定されない場合、間接支持が可能か判定し、間接支持が可能な場合、入出力装置から間接支持の方法の入力を受け入れ、間接支持が不可能な場合、必要な支持架台の諸元を算出する。
【０１９８】
（免震装置設置床自動評価システム４４）
免震装置設置床自動評価システム４４は顧客情報データベース１４からレイアウト図を読み込み、免震装置を設置するラック及びフロアの仕様及び設計用地震力の入力を受け入れ、強度安全率を算出し、強度安全率が所定の値を下回った場合、補強工法に関する情報の入力を受け入れと、強度安全率を算出と、強度安全率が所定の値以上であるかの判定とを繰り返す。
【０１９９】
（ラック熱量自動計算システム４５）
ラック熱量自動計算システム４５は顧客名とマシン室名とラック名の入力を受け入れ、顧客情報データベース１４から顧客名とマシン室名とラック名を基にラックの諸元および搭載機器の発熱量を読み出し、さらに、マシン室の空調方式の入力を受け入れ、設計引用データベース１６からラックのパネルの熱通過率を読み込み、ラックの必要排熱量を算出し、メーカー仕様データベース１５から、ラックから必要排熱量を排熱するのに十分な諸元を備えたラックファンを検索する。
【０２００】
（ＵＰＳ自動選定システム４６）
ＵＰＳ自動選定システム４６は、顧客名とマシン室名とラック名の入力を受け入れ、顧客情報データベース１４から顧客名とマシン室名とラック名を基にラックの諸元および搭載機器の消費電力を読み出し、ラックの総消費電力を算出し、メーカー仕様データベース１５から、総消費電力を供給するのに十分な諸元を備えたＵＰＳを検索する。
【０２０１】
（室内照明自動選定システム４７）
室内照明自動選定システム４７は顧客名とマシン室名の入力を受け入れ、顧客情報データベース１４から顧客名とマシン室名を基にマシン室に関する情報を読み出し、照明仕様及び必要照度の入力を受け入れ、設計引用データベース１６から、マシン室に必要照度を供給するのに十分な照明器具を検索して、検索した照明器具の必要台数を算出する。
【０２０２】
（室内冷房自動選定システム４８）
室内冷房自動選定システム４８は顧客名とマシン室名の入力を受け入れ、顧客情報データベース１４から顧客名とマシン室名を基にマシン室に関する情報及び設置機器の発熱量を検索し、マシン室の構造に関する情報の入力を受け入れ、マシン室の熱負荷を算出し、マシン室に熱負荷に対応する冷房を供給するのに十分な冷房機器を検索する。
【０２０３】
＜本実施形態の効果＞
以上述べたように、本実施形態のファシリティサービス支援計算システムは、第１の実施形態のファシリティサービス支援計算システムをパーソナルコンピュータ４０において実施する。
【０２０４】
このため、本実施形態のファシリティサービス支援計算システムは、パーソナルコンピュータ４０を客先まで持ち運び、シミュレートしながら各種設計を行うことにより、顧客の要請への迅速な対応が可能となるという効果がある。
【０２０５】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２０６】
【図１】第１の実施形態におけるファシリティサービス支援計算システムの構成を示した図である。
【図２】第１の実施形態のファシリティサービス支援計算システムの概要を示すブロック図である。
【図３】第１の実施形態のファシリティサービス支援計算システムの初期画面を示した図である。
【図４】顧客情報ＤＢのデータ構成を示した図である。
【図５】メーカー仕様ＤＢのデータ構成を示した図である。
【図６】設計引用ＤＢのデータ構成を示した図である。
【図７】顧客提出図書ＤＢのデータ構成を示した図である。
【図８】機器諸元データ検索システムにおけるサーバの動作を表したフローチャートである。
【図９】レイアウト図の例を示した図である。
【図１０】ラック実装自動計算システムにおけるサーバの動作を表したフローチャートである。
【図１１】ラック実装自動計算システムにおけるサーバの動作を表したフローチャートの続きである。
【図１２】入力画面の一つである「ラック要求仕様入力」画面を示した図である。
【図１３】実装図及び諸元表を示した図である。
【図１４】ラック耐震自動計算システムにおけるサーバの動作を表したフローチャートである。
【図１５】ラック耐震自動計算システムにおけるサーバの動作を表したフローチャートの続きである。
【図１６】ラック耐震自動計算システムにおけるサーバの動作を表したフローチャートの続きである。
【図１７】免震装置設置床自動評価システムにおけるサーバの動作を表したフローチャートである。
【図１８】免震装置設置床自動評価システムにおけるサーバの動作を表したフローチャートの続きである。
【図１９】ラック熱量自動計算システムにおけるサーバの動作を表したフローチャートである。
【図２０】ＵＰＳ自動選定システムにおけるサーバの動作を表したフローチャートである。
【図２１】室内照明自動選定システムにおけるサーバの動作を表したフローチャートである。
【図２２】室内冷房自動選定システムにおけるサーバの動作を表したフローチャートである。
【図２３】第２の実施形態におけるファシリティサービス支援計算システムの構成を示した図である。
【図２４】搭載機器とラックの取り付け部位を示した図である。
【符号の説明】
【０２０７】
１０：サーバ、
１４：顧客情報ＤＢ、
１５：メーカー仕様ＤＢ、
１６：設計引用ＤＢ、
１７：顧客提出図書ＤＢ、
２０：クライアントコンピュータ、
３０：ネットワーク。
【図１】
2009145993.tif 000003
【図２】
2009145993.tif 000004
【図３】
2009145993.tif 000005
【図４】
2009145993.tif 000006
【図５】
2009145993.tif 000007
【図６】
2009145993.tif 000008
【図７】
2009145993.tif 000009
【図８】
2009145993.tif 000010
【図９】
2009145993.tif 000011
【図１０】
2009145993.tif 000012
【図１１】
2009145993.tif 000013
【図１２】
2009145993.tif 000014
【図１３】
2009145993.tif 000015
【図１４】
2009145993.tif 000016
【図１５】
2009145993.tif 000017
【図１６】
2009145993.tif 000018
【図１７】
2009145993.tif 000019
【図１８】
2009145993.tif 000020
【図１９】
2009145993.tif 000021
【図２０】
2009145993.tif 000022
【図２１】
2009145993.tif 000023
【図２２】
2009145993.tif 000024
【図２３】
2009145993.tif 000025
【図２４】
2009145993.tif 000026